(57)【要約】【課題】  より少ない部品数で、表示装置を安定的に支える。【解決手段】  テレビスタンド１は、受け部１１および支持部１２から構成される。受け部１１は、所定の曲率を有するスライド部１１Ａおよびスライド部１１Ｂ、並びに背面部１１Ｃから形成され、支持部１２は、スライド部１１Ａおよびスライド部１１Ｂのそれぞれに対応したガイド１２Ａおよびガイド１２Ｂが設けられている。スライド部１１Ａおよびスライド部１１Ｂのそれぞれが、ガイド１２Ａおよびガイド１２Ｂのそれぞれに嵌め込まれることで、テレビスタンド１を構成する。本発明は、置き台およびテレビジョン受像機に適用できる。【選択図】      図１
2007057963.tif 000002
【特許請求の範囲】
【請求項１】
所定の形状の表示装置を支える置き台において、
前記表示装置を受けて支える第１の辺と、所定の曲率の曲線をなす第２の辺とを有する第１の台と、
前記第１の台が嵌め込まれ、前記第２の辺と当接して、前記第１の台を支える溝が設けられている第２の台と
を備える置き台。
【請求項２】
前記第１の台は、前記表示装置を受けて支える面をさらに有する
請求項１の置き台。
【請求項３】
前記第１の台は、前記第１の辺と前記第２の辺とがそれぞれ２つ設けられ、
前記第２の台は、前記第１の辺および前記第２の辺に対応させて、前記溝が２つ設けられている
請求項１の置き台。
【請求項４】
前記第２の台は、前記溝の断面がコの字型の形状となるように形成されている
請求項１の置き台。
【請求項５】
前記第１の辺は、前記表示装置と当接する第１の凸部が設けられ、前記第１の凸部が前記表示装置と当接することで、前記表示装置を前記第１の台に固定する
請求項１の置き台。
【請求項６】
前記第２の辺は、端部のそれぞれに、第１の凸部と第２の凸部とがそれぞれ設けられ、前記第１の凸部および前記第２の凸部のそれぞれが、前記溝と当接することで、前記第１の台が前記第２の台からずれないようにする
請求項１の置き台。
【請求項７】
前記第１の台は、前記表示装置から発生した熱を外部に放熱する形状の面であって、前記表示装置を受けて支える前記面をさらに有する
請求項１の置き台。
【請求項８】
前記第１の台は、前記表示装置の前面を覆う形状の面をさらに有する
請求項１の置き台。
【請求項９】
画像を画面に表示させるテレビジョン受像機において、
表示装置を受けて支える第１の辺と、所定の曲率の曲線をなす第２の辺とを有する第１の台と、
前記第１の台が嵌め込まれ、前記第２の辺と当接して、前記第１の台を支える溝が設けられている第２の台と
を備えるテレビジョン受像機。
【発明の詳細な説明】
【技術分野】
【０００１】
本発明は置き台およびテレビジョン受像機に関し、特に、表示装置を支えるための置き台およびテレビジョン受像機に関する。
【背景技術】
【０００２】
テレビジョン受像機（以下、テレビと称する）の普及とともに、それらのテレビを載せるための様々な種類のテレビスタンドも利用されている。
【０００３】
従来のテレビスタンドは、一般的に、テレビの側背面にビス穴が開いており、そのビス穴を利用することで、テレビとテレビスタンドとを固定している。また、テレビスタンドに設けられたテレビ取付け固定部分が、テレビスタンドに対して可動する構造になっており、この部分が動くことで固定取付けされたテレビが向きを変え、画面の向きを変更する。
【０００４】
また、ガラス板と成形品である開閉部により構成されている右扉と、ガラス板と成形品である開閉部により構成されている左扉と、成形品である側板を備え、開閉部および側板は、設置されるテレビの筐体と同系色とされ、その上端部は高さＨＲだけ天板より突出するように構成されているテレビスタンドもある（例えば、特許文献１）。
【０００５】
【特許文献１】特開平５−３２８２６４号公報
【発明の開示】
【発明が解決しようとする課題】
【０００６】
しかしながら、従来のテレビスタンドの構造の場合、テレビの側背面に設けられたビス穴を利用してテレビとテレビスタンドとを固定していたので、容易にテレビを取り外すことができず、またテレビスタンドに設けられているテレビ取付け固定部分は数多くの部品を必要とする問題があった。
【０００７】
本発明はこのような状況に鑑みてなされたものであり、より少ない部品数で、表示装置を安定的に支えることができるようにするものである。
【課題を解決するための手段】
【０００８】
本発明の一側面（第１の側面）は、所定の形状の表示装置を支える置き台において、前記表示装置を受けて支える第１の辺と、所定の曲率の曲線をなす第２の辺とを有する第１の台と、前記第１の台が嵌め込まれ、前記第２の辺と当接して、前記第１の台を支える溝が設けられている第２の台とを備える置き台である。
【０００９】
前記第１の台は、前記表示装置を受けて支える面をさらに有することができる。
【００１０】
前記第１の台は、前記第１の辺と前記第２の辺とがそれぞれ２つ設けられ、前記第２の台は、前記第１の辺および前記第２の辺に対応させて、前記溝が２つ設けられるようにすることができる。
【００１１】
前記第２の台は、前記溝の断面がコの字型の形状となるように形成することができる。
【００１２】
前記第１の辺は、前記表示装置と当接する第１の凸部が設けられ、前記第１の凸部が前記表示装置と当接することで、前記表示装置を前記第１の台に固定することができる。
【００１３】
前記第２の辺は、端部のそれぞれに、第１の凸部と第２の凸部とがそれぞれ設けられ、前記第１の凸部および前記第２の凸部のそれぞれが、前記溝と当接することで、前記第１の台が前記第２の台からずれないようにすることができる。
【００１４】
前記第１の台は、前記表示装置から発生した熱を外部に放熱する形状の面であって、前記表示装置を受けて支える前記面をさらに有することができる。
【００１５】
前記第１の台は、前記表示装置の前面を覆う形状の面をさらに有することができる。
【００１６】
本発明の一側面（第１の側面）においては、所定の形状の表示装置を支える置き台において、前記表示装置を受けて支える第１の辺と、所定の曲率の曲線をなす第２の辺とを有する第１の台と、前記第１の台が嵌め込まれ、前記第２の辺と当接して、前記第１の台を支える溝が設けられている第２の台とが設けられる。
【００１７】
本発明の一側面（第２の側面）は、画像を画面に表示させるテレビジョン受像機において、表示装置を受けて支える第１の辺と、所定の曲率の曲線をなす第２の辺とを有する第１の台と、前記第１の台が嵌め込まれ、前記第２の辺と当接して、前記第１の台を支える溝が設けられている第２の台とを備えるテレビジョン受像機である。
【００１８】
本発明の一側面（第２の側面）においては、画像を画面に表示させるテレビジョン受像機において、表示装置を受けて支える第１の辺と、所定の曲率の曲線をなす第２の辺とを有する第１の台と、前記第１の台が嵌め込まれ、前記第２の辺と当接して、前記第１の台を支える溝が設けられている第２の台とが設けられる。
【発明の効果】
【００１９】
以上のように、本発明の一側面（第１の側面）によれば、表示装置を支えることができる。
【００２０】
また、本発明の一側面（第１の側面）によれば、より少ない部品数で、表示装置を安定的に支えることができる。
【００２１】
さらに、本発明の一側面（第２の側面）によれば、より少ない部品数で、表示装置を安定的に支えることができる。
【００２２】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２３】
本発明の一側面（第１の側面）の置き台（例えば、図１のテレビスタンド１）は、表示装置（例えば、図５のテレビ７１Ａ）を受けて支える第１の辺（例えば、図３のスライド部１１Ａおよびスライド部１１Ｂのそれぞれの上側）と、所定の曲率の曲線をなす第２の辺（例えば、図３のスライド部１１Ａおよびスライド部１１Ｂのそれぞれの下側）とを有する第１の台（例えば、図１の受け部１１）と、第１の台が嵌め込まれ、第２の辺と当接して、第１の台を支える溝（例えば、図４のガイド１２Ａおよびガイド１２Ｂ）が設けられている第２の台（例えば、図１の支持部１２）とを備える。
【００２４】
第１の台は、表示装置を受けて支える面（例えば、図３の背面部１１Ｃ）をさらに有することができる。
【００２５】
第１の台は、第１の辺と第２の辺とがそれぞれ２つ設けられ、第２の台は、第１の辺および第２の辺に対応させて、溝が２つ設けられているようにすることができる。
【００２６】
第２の台は、溝の断面がコの字型の形状となるように形成されることができる。
【００２７】
第１の辺は、表示装置と当接する第１の凸部（例えば、図３の凸部１１ｃおよび凸部１１ｆ）が設けられ、第１の凸部が表示装置と当接することで、表示装置を第１の台に固定することができる。
【００２８】
第２の辺は、端部のそれぞれに、第１の凸部（例えば、図３の凸部１１ａおよび凸部１１ｂ）と第２の凸部（例えば、図３の凸部１１ｄおよび凸部１１ｅ）とがそれぞれ設けられ、第１の凸部および第２の凸部のそれぞれが、溝と当接することで、第１の台が第２の台からずれないようにすることができる。
【００２９】
第１の台は、表示装置から発生した熱を外部に放熱する形状の面（例えば、図１８の背面部１６１Ｃ）であって、表示装置を受けて支える面をさらに有することができる。
【００３０】
第１の台は、表示装置の前面を覆う形状の面（例えば、図２２のフィルタ１８１Ｄ）をさらに有することができる。
【００３１】
本発明の一側面（第２の側面）のテレビジョン受像機は、表示装置（例えば、図５のテレビ７１Ａ）を受けて支える第１の辺と、所定の曲率の曲線をなす第２の辺とを有する第１の台（例えば、図１の受け部１１）と、第１の台が嵌め込まれ、第２の辺と当接して、第１の台を支える溝が設けられている第２の台（例えば、図１の支持部１２）とを備える。
【００３２】
以下、図面を参照しながら本発明の実施の形態について説明する。
【００３３】
図１は、本発明の一実施の形態のテレビスタンドを示す図である。
【００３４】
なお、図１および図２は、本発明を適用したテレビスタンド１の外観を示す図であり、図１は、テレビスタンド１の斜視図を示し、図２は、テレビスタンド１の側面図を示す。
【００３５】
テレビスタンド１は、図１に示すように、例えば、テレビ（表示装置）などの物品が載せられた場合、その載せられたテレビなどの物品を支える置き台である。テレビスタンド１は、本発明の置き台の一例である。
【００３６】
テレビスタンド１は、受け部１１および支持部１２から構成され、受け部１１を形成している２枚の足（支持部１２と接している２枚の面）が、支持部１２に設けられているガイド（切り欠き溝）に嵌め込まれることで、テレビスタンド１を構成している。
【００３７】
受け部１１は、例えば、載せられるテレビの外形寸法（幅、高さ、奥行）、形状、または質量などに応じた所定の形状をなすように形成されており、形状に合うテレビが載せられた場合、その載せられたテレビを受けることにより支える。受け部１１の詳細は後述する。
【００３８】
支持部１２は、例えば、コの字型などの所定の形状をなすように形成されており、受け部１１の２枚の足をガイドに嵌め込ませることで、受け部１１を支える。すなわち、支持部１２は、受け部１１にテレビが載せられた場合、受け部１１と、その受け部１１に載せられたテレビとを支えることになる。支持部１２の詳細は後述する。
【００３９】
テレビスタンド１は、図２に示すように、ユーザの操作により、受け部１１の２枚の足が、支持部１２のガイド上をスライドすることにより、受け部１１を所定の角度に傾けることができる。すなわち、詳細は後述するが、テレビを受け部１１に載せた場合、受け部１１を所定の角度に傾けることにより、受け部１１に載せられたテレビも所定の角度に傾けることができる。
【００４０】
なお、受け部１１の２枚の足が、ガイド上をスライドしているときであっても、支持部１２は、その設置された状態で静止している。すなわち、テレビスタンド１においては、受け部１１がガイド上をスライドする場合、受け部１１のみが動作することになる。
【００４１】
また、テレビスタンド１においては、図３および図４のそれぞれに示すように、支持部１２から受け部１１を取り外すことができる。すなわち、図３は、受け部１１の外観を示し、図４は、支持部１２の外観を示す。
【００４２】
図３で示される例において、受け部１１は、例えば、アクリル、プラスチック、ポリプロピレン、若しくはポリエチレンなどの樹脂、アルミニウム、鉄、マグネシウム、若しくはチタニウムなどの金属、竹、MDF(Medium Density Fiberboard)、または木材などの素材から形成される。受け部１１は、異なる素材を組み合わせた複合材料により形成するようにしてもよい。
【００４３】
また、受け部１１の表面は、透明または黒などの単色とされるか、または木目模様などの所定の模様とされる。さらに、受け部１１には、所定の形状のテレビが載せられるので、受け部１１は、その載せられたテレビを支えることができる強度を有するように形成される。
【００４４】
受け部１１は、支持部１２のガイド上をスライドする２枚の足であるスライド部１１Ａおよびスライド部１１Ｂ、並びにテレビの背面を受けるための面である背面部１１Ｃを有する。
【００４５】
スライド部１１Ａは、支持部１２のガイド上をスライドするために、支持部１２と接するガイドに嵌め込まれる部分（図３のスライド部１１Ａの下側の部分）が所定の曲率をなす形状となる。
【００４６】
また、スライド部１１Ａには、支持部１２からの脱落を防止するための引っかかりが２箇所設けられている（図３の凸部１１ａおよび凸部１１ｂ）。すなわち、スライド部１１Ａの所定の曲率をなしている面には、２箇所の引っかかりである凸部１１ａおよび凸部１１ｂのそれぞれが設けられており、スライド部１１Ａは、凸部１１ａと凸部１１ｂとの間でしか、ガイド上をスライドできないことになる。その結果、受け部１１が、支持部１２から脱落することを防止できる。
【００４７】
さらに、スライド部１１Ａには、テレビの脱落を防止するための引っかかりが１箇所設けられている（図３の凸部１１ｃ）。すなわち、詳細は後述するが、スライド部１１Ａのテレビの底面と接する面には、１箇所の引っかかりである凸部１１ｃが設けられており、受け部１１に載せられたテレビは、スライド部１１Ａに設けられている凸部１１ｃにより、前方に移動することができないことになる。その結果、テレビが、受け部１１の前方へに脱落することを防止できる。
【００４８】
スライド部１１Ｂは、スライド部１１Ａと同様に、支持部１２と接する部分（図３のスライド部１１Ｂの下側）が所定の曲率をなす形状をしており、支持部１２からの脱落を防止するための引っかかりである凸部１１ｄおよび凸部１１ｅがそれぞれ設けられ、テレビの脱落を防止するための引っかかりである凸部１１ｆも設けられている。
【００４９】
背面部１１Ｃは、その両側がスライド部１１Ａとスライド部１１Ｂとなるようにして形成され、受け部１１に載せられるテレビの背面を受ける。すなわち、受け部１１に載せられるテレビは、スライド部１１Ａ、スライド部１１Ｂ、および背面部１１Ｃにより固定され、安定した状態で静止することになる。
【００５０】
すなわち、受け部１１においては、スライド部１１Ａとスライド部１１Ｂとが、背面部１１Ｃを挟んで、それぞれが対称となる所定の形状となるように形成されており、それらのスライド部１１Ａおよびスライド部１１Ｂが、支持部１２のガイド上をスライドすることで、受け部１１全体も支持部１２上をスライドすることになる。
【００５１】
図４で示される例において、支持部１２は、例えば、アクリルなどの素材で、コの字型の形状となるように形成される。支持部１２は、異なる素材を組み合わせた複合素材により形成するようにしてもよいし、受け部１１と同様の素材で形成することはもちろん、受け部１１と異なる素材で形成するようにしてもよい。
【００５２】
また、支持部１１の表面は、透明または黒などの単色とされるか、または木目模様などの所定の模様とされ、受け部１１と同様の色（模様）とされることはもちろん、受け部１１と異なる色（模様）とされるようにしてもよい。さらに、支持部１２のガイドには、受け部１１が嵌め込まれるので、支持部１２は、受け部１１と、受け部１１に載せられたテレビとを支えることのできる強度を有している。
【００５３】
支持部１２には、受け部１１をスライドさせるためのガイドである、ガイド１２Ａおよびガイド１２Ｂのそれぞれが設けられ、それらのガイド１２Ａおよびガイド１２Ｂは、受け部１１のスライド部１１Ａおよびスライド部１１Ｂのそれぞれを支える。
【００５４】
ガイド１２Ａは、例えば、コの字型の支持部１２に設けられた切り欠き溝である。ガイド１２Ａには、スライド部１１Ａが嵌め込まれ、スライド部１１Ａは、ユーザの操作により、ガイド１２Ａ上をスライドする。
【００５５】
ガイド１２Ｂは、ガイド１２Ａと同様に、コの字型の支持部１２に設けられた切り欠き溝であり、スライド部１１Ａが嵌め込まれることで、ユーザの操作により、嵌め込まれたスライド部１１Ａをスライドさせる。
【００５６】
すなわち、テレビスタンド１においては、支持部１２のガイド１２Ａおよびガイド１２Ｂのそれぞれと、受け部１１のスライド部１１Ａおよびスライド部１１Ｂのそれぞれとが、同一の間隔で設けられることにより、受け部１１を支持部１２に嵌め込んでいる。
【００５７】
また、２箇所のガイド（ガイド１２Ａおよびガイド１２Ｂ）が設けられたコの字型の支持部１２は、上述した図１および図２で示すように、受け部１１を２箇所のガイドに嵌め込むことにより、左右のそれぞれのガイドにおいて２箇所、計４箇所で受け部１１を支えることになる。その結果、支持部１２は、受け部１１を４点支持していることになり、受け部１１（テレビ）を安定して静止させることになる。
【００５８】
なお、支持部１２は、その形状を、例えば、コの字型とせずに直方体とし、ガイド１２Ａおよびガイド１２Ｂを、スライド部１１Ａおよびスライド部１１Ｂのそれぞれの所定の曲率をなす形状に沿った凹形状とすることにより、受け部１１（スライド部１１Ａおよびスライド部１１Ｂ）を４点支持ではなく、面（線）によって支えるようにしてもよい。
【００５９】
このように、テレビスタンド１は、テレビを受けて支える辺と、所定の曲率をなす辺とを有する受け部１１と、受け部１１が嵌め込まれ、所定の曲率をなす辺を当接して、受け部１１を支える溝が設けられている支持部１２とから構成される。
【００６０】
次に、図１乃至図４を参照して説明したテレビスタンド１に、テレビを載せた場合について説明する。また、テレビスタンド１に載せるテレビであるが、例えば、図５で示すような、複数のテレビから構成されるスケーラブルテレビシステム５１のうちの１台のテレビとすることができる。
【００６１】
図５は、スケーラブルテレビシステム５１の構成例を示す図である。スケーラブルテレビシステム５１は、複数のテレビを、それぞれ複数の異なる取付け位置に取付けることが可能なユニットを、複数台接続することにより構成されており、接続されるユニットの数を増やしたり減らしたりすることで、テレビの台数を自由に増やしたり減らしたりすることが可能となるように構成されている。
【００６２】
図５の例では、スケーラブルテレビシステム５１は、ユニット６１−１乃至６１−３の３つのユニットにより構成されている。ユニット６１−１乃至６１−３の各ユニットには、それぞれ１または複数のテレビ（この例では３台のテレビ）が図中縦方向一列に取付けられており、ユニット６１−１には、テレビ７１Ａ乃至７１Ｃ、ユニット６１−２には、テレビ７２Ａ乃至７２Ｃ、ユニット６１−３には、テレビ７３Ａ乃至７３Ｃが図中縦方向一列にそれぞれ取付けられている。そして、ユニット６１−１乃至６１−３が図中横方向一列に接続されることにより９台のテレビを有するスケーラブルテレビシステム５１が構成されている。
【００６３】
テレビ７１Ａ乃至７３Ｃの９台のテレビのそれぞれは、同じ形状と機能を有し、例えば、テレビジョン放送信号、インターフォンに接続されるモニタの信号などを受信して、LCD（Liquid Crystal Display）などで構成されるモニタ（画面）に画像を表示したり、スピーカなどで構成される音声出力部から音声を出力したりする。スケーラブルテレビシステム５１は、個々のテレビを独立して機能させることは勿論、９台のテレビの集合体をあたかも１台のテレビとして機能させるようにすることが可能である。さらに、スケーラブルテレビシステム５１においては、９台のテレビを、例えば３台のテレビからなる３組の集合体に分割し、個々の集合体毎に別々の画像を表示することも可能である。
【００６４】
また、このスケーラブルテレビシステム５１は、テレビ７１Ａ乃至７３Ｃがそれぞれ１８０°回転可能となるように構成されており、矢印９１で示される方向であって、スケーラブルテレビシステム５１の表方向から、また、矢印９２で示される方向であって、スケーラブルテレビシステム５１の裏方向から、それぞれユーザが画像や音声を視聴することが可能となるように構成されている。例えば、スケーラブルテレビシステム５１を、リビングルームとキッチンの間に設置し、表側の面をリビングルームに向けてドラマなどの番組の画像を表示させ、裏側の面をキッチンに向けて料理番組の画像を表示させることができる。
【００６５】
なお、スケーラブルテレビシステム５１を構成するテレビの数は、９台に限定されるものではない。すなわち、スケーラブルテレビシステム５１は、任意の複数台のテレビによって構成することが可能である。また、スケーラブルテレビシステム５１を構成するテレビの配置は、図５に示したように、縦×横が、３×３に限定されるものではない。すなわち、スケーラブルテレビシステム５１を構成するテレビの配置は、例えば、縦×横が、１×２、２×１、２×３などとすることも可能である。また、スケーラブルテレビシステム５１を構成するテレビの配置形状は、図５にも示したように、格子状（マトリックス状）に限定されるものではなく、例えば、ピラミッド状などであってもよい。
【００６６】
すなわち、スケーラブルテレビシステム５１は、任意の複数台のテレビを、縦と横のそれぞれに、任意の台数だけ配置して構成することができる。
【００６７】
なお、以下の説明においては、スケーラブルテレビシステム５１のテレビ７１Ａ乃至７３Ｃのうち、左上のテレビ７１Ａを取り外してテレビスタンド１に載せる場合について説明する。すなわち、図６乃至図１１のそれぞれは、テレビ７１Ａをテレビスタンド１に載せた場合の外観を示す図であり、図６は前方からの斜視図を示し、図７は正面図を示し、図８は後方からの斜視図を示し、図９は背面図を示し、図１０および図１１は左側面図を示す。
【００６８】
図６および図７に示すように、テレビ７１Ａをテレビスタンド１に載せる場合、受け部１１がテレビ７１Ａの形状に合わせた形状となっているので、テレビ７１Ａは、背面部１１Ｃと、凸部１１ｃおよび凸部１１ｆとの間に挟まれるようにして受け部１１に載せられる。
【００６９】
この場合、コの字型の支持部１２における２箇所のガイドであるガイド１２Ａおよびガイド１２Ｂは、テレビ７１Ａを載せている受け部１１のスライド部１１Ａおよびスライド部１１Ｂのそれぞれを嵌め込むことにより、左右のそれぞれのガイドにおいて２箇所、計４箇所で受け部１１を支えることになる。その結果、支持部１２は、テレビ７１Ａを載せている受け部１１を４点で支えることにより、テレビ７１Ａ（受け部１１）を安定して静止させることになる。また、このとき、テレビスタンド１は、例えば、テレビ７１Ａを重心で支えることにより、テレビ７１Ａをより安定して支持することができる。
【００７０】
また、図８および図９に示すように、例えば、テレビ７１Ａの背面側に設けられている電源用のケーブルなどの配線類やコネクタの突起などは、背面部１１Ｃの下のスペースに通すことができる。すなわち、テレビスタンド１においては、例えば、受け部１１を支持部１２のガイドに沿ってスライドさせる場合、テレビ７１Ａの配線類などを意識せずにスライドさせることが可能となる。
【００７１】
さらに、図１０および図１１の左側面図に示すように、テレビスタンド１に載せられたテレビ７１Ａを所定の角度に傾けることができる。
【００７２】
図１０で示すように、テレビ７１Ａは、テレビスタンド１が設置されている面に対して垂直になっている。上述したように、テレビスタンド１は、スライド部１１Ａがガイド１２Ａに沿って凸部１１ａと凸部１１ｂとの間をスライドするとともに、スライド部１１Ｂがガイド１２Ｂに沿って凸部１１ｄと凸部１１ｅとの間をスライドすることで、テレビ７１Ａを所定の向きに傾けることができる。
【００７３】
すなわち、テレビスタンド１は、スライド部１１Ａをガイド１２Ａに沿って、凸部１１ａ（図１０）から凸部１１ｂ（図１１）までスライドさせるとともに、スライド部１１Ｂをガイド１２Ｂに沿って、凸部１１ｄ（図１０）から凸部１１ｅ（図１１）までスライドさせた場合、図１１で示すように、テレビ７１Ａは、テレビスタンド１が設置されている面に対して所定の角度をなすようにして傾くことになる。
【００７４】
また、このとき、テレビ７１Ａが受け部１１上で固定されているので、ユーザは、受け部１１を動かすことでテレビ７１Ａを傾けることはもちろん、テレビ７１Ａを持って動かすことで、テレビ７１Ａを傾けることもできる。
【００７５】
このように、ユーザは、テレビスタンド１に載せられたテレビ７１Ａの向きを、簡単に、任意の角度となるように変えることができる。
【００７６】
ところで、テレビスタンド１であるが、上述した以外の形状として形成することが可能である。以下、図１２乃至図２３を参照して、本発明の一実施のさらに他の形態のテレビスタンドについて説明する。
【００７７】
まず、受け部１１であるが、上述した例においては、スライド部１１Ａと、スライド部１１Ｂと、背面部１１Ｃとからなるとして説明したが、本発明においては、背面部１１Ｃを設けないようにしてもよい。以下、図１２乃至図１４を参照して、背面部１１Ｃを設けない場合（以下、分割支持タイプとも称する）について説明する。すなわち、図１２乃至図１４のそれぞれは、テレビ７１Ａを、分割支持タイプのテレビスタンド１０１に載せた場合の外観を示す図であり、図１２は背面図を示し、図１３は上面図を示し、図１４は側面図を示す。
【００７８】
テレビスタンド１０１は、図１２に示すように、受け部１１１と支持部１１２とから構成され、受け部１１１を構成している２枚の足が、支持部１１２に設けられているガイドに嵌め込まれている。
【００７９】
なお、以下の説明においては、受け部１１１を構成している２枚の足のそれぞれを、スライド部１１１Ａおよびスライド部１１１Ｂと称し、スライド部１１１Ａおよびスライド部１１１Ｂのそれぞれに対応して、支持部１１２に設けられたガイドを、それぞれガイド１１２Ａおよびガイド１１２Ｂと称して説明する。
【００８０】
図１２および図１３で示すように、テレビスタンド１０１には、スライド部１１１Ａおよびスライド部１１１Ｂのそれぞれが設けられており、テレビスタンド１０１は、それらの２つのスライド部によって、テレビ７１Ａを支えている。すなわち、分割支持タイプのテレビスタンド１０１では、背面部が設けられていないので、テレビ７１Ａは、スライド部１１１Ａおよびスライド部１１１Ｂにより支えられていることになる。
【００８１】
また、図１４で示すように、テレビスタンド１０１においては、スライド部１１１Ａおよびスライド部１１１Ｂのそれぞれが、ガイド１１２Ａおよびガイド１１２Ｂのそれぞれの上をスライドすることで、テレビスタンド１０１に載せられたテレビ７１Ａを所定の角度に傾けることができる。
【００８２】
このように、分割支持タイプのテレビスタンド１０１においては、背面部を設けないことにより、部品の数を少なくして製造コストを低く抑えることができる。
【００８３】
なお、図１２乃至図１４を参照して説明したテレビスタンド１０１では、上述した例と同様に、スライド部を２つ設けた場合について説明したが、本発明においては、３つ以上設けるようにしてもよい。
【００８４】
次に、受け部１１のスライド部の数であるが、上述した例においては、スライド部を複数設けた場合について説明したが、本発明においては、スライド部を１つだけ設けるようにしてもよい。以下、図１５乃至図１７を参照して、スライド部を１つ設けた場合（以下、単支持タイプとも称する）について説明する。すなわち、図１５乃至図１７のそれぞれは、テレビ７１Ａを、単支持タイプのテレビスタンド１３１に載せた場合の外観を示す図であり、図１５は背面図を示し、図１６は上面図を示し、図１７は側面図を示す。
【００８５】
テレビスタンド１３１は、図１５に示すように、受け部１４１と支持部１４２とから構成され、受け部１４１を構成している１枚の足が、支持部１４２に設けられているガイドに嵌め込まれている。
【００８６】
なお、以下の説明においては、受け部１４１を構成している１枚の足をスライド部１４１Ａと称し、受け部１４１に載せられるテレビ７１Ａの背面を受ける面を背面部１４１Ｃと称して説明する。また、スライド部１４１Ａに対応して、支持部１４２に設けられたガイドを、ガイド１４２Ａと称して説明する。
【００８７】
図１５および図１６で示すように、テレビスタンド１３１には、スライド部１４１Ａが設けられており、テレビスタンド１３１は、スライド部１４１Ａおよび背面部１４１Ｃによって、テレビ７１Ａを支えている。すなわち、単支持タイプのテレビスタンド１３１では、１つのスライド部しか設けられていないので、テレビ７１Ａは、スライド部１４１Ａおよび背面部１４１Ｃにより支えられていることになる。
【００８８】
また、図１７で示すように、テレビスタンド１３１においては、スライド部１４１Ａが、ガイド１４２Ａの上をスライドすることで、テレビスタンド１３１に載せられたテレビ７１Ａを所定の角度に傾けることができる。
【００８９】
このように、単支持タイプのテレビスタンド１３１においては、スライド部を１つだけ設けているので、より簡略化した構成にすることができる。
【００９０】
なお、スライド部１４１Ａの幅であるが、スライド部を１つにした場合、載せられたテレビ７１Ａが安定しないときがあるので、スライド部１４１Ａの幅は、支持部１４２の幅を限度として広げることも可能である。またそのとき、ガイド１４２Ａの幅は、スライド部１４１Ａに対応した幅となる。
【００９１】
また、図１５乃至図１７を参照して説明したテレビスタンド１３１では、受け部１４１は、スライド部１４１Ａおよび背面部１４１Ｃから構成されるとして説明したが、背面部１４１Ｃを設けないようにしてもよい。すなわち、テレビ７１Ａは、分割支持タイプと同様に、スライド部１４１Ａのみにより支えられるようにすることも可能である。
【００９２】
次に、受け部１１の背面部１１Ｃの形状であるが、上述した例においては、平らな平面状の形状として説明したが、本発明においては、背面部１１Ｃの形状を、例えば、テレビ７１Ａから放出される熱の対策を施した形状などとしてもよい。以下、図１８乃至図２０を参照して、背面部１１Ｃの形状を熱の対策を施した形状とした場合（以下、ヒートシンクタイプとも称する）について説明する。すなわち、図１８乃至図２０のそれぞれは、テレビ７１Ａを、ヒートシンクタイプのテレビスタンド１５１に載せた場合の外観を示す図であり、図１８は背面図を示し、図１９は上面図を示し、図２０は側面図を示す。
【００９３】
テレビスタンド１５１は、図１８に示すように、受け部１６１と支持部１６２とから構成され、受け部１６１を構成している２枚の足が、支持部１６２に設けられているガイドに嵌め込まれている。
【００９４】
なお、以下の説明においては、受け部１６１を構成している２枚の足のそれぞれを、スライド部１６１Ａおよびスライド部１６１Ｂと称し、受け部１６１に載せられるテレビ７１Ａの背面を受ける面を背面部１６１Ｃと称して説明する。また、スライド部１６１Ａおよびスライド部１６１Ｂのそれぞれに対応して、支持部１６２に設けられたガイドを、それぞれガイド１６２Ａおよびガイド１６２Ｂと称して説明する。
【００９５】
背面部１６１Ｃは、例えば、多数のフィンが付加されたアルミニウムなどの金属製の板などから形成され、テレビ７１Ａから発生した熱を外部に放熱するためのヒートシンクとして機能する。すなわち、テレビスタンド１５１は、背面部１６１Ｃがヒートシンクとして機能することで、テレビ７１Ａから発生した熱を外部に放熱することになる。
【００９６】
図１８および図１９で示すように、テレビスタンド１５１には、スライド部１６１Ａおよびスライド部１６１Ｂのそれぞれが設けられており、テレビスタンド１５１は、それらの２つのスライド部とヒートシンク機能を備えた背面部１６１Ｃとによって、テレビ７１Ａを支えている。すなわち、ヒートシンクタイプのテレビスタンド１５１では、テレビ７１Ａは、スライド部１６１Ａ、スライド部１６１Ｂ、およびヒートシンク機能を備えた背面部１６１Ｃにより支えられていることになる。
【００９７】
また、図２０で示すように、テレビスタンド１５１においては、スライド部１６１Ａおよびスライド部１６１Ｂのそれぞれが、ガイド１６２Ａおよびガイド１６２Ｂのそれぞれの上をスライドすることで、テレビスタンド１５１に載せられたテレビ７１Ａを所定の角度に傾けることができる。
【００９８】
このように、ヒートシンクタイプのテレビスタンド１５１においては、背面部１６１Ｃがヒートシンクとして機能するので、テレビ７１Ａから発生した熱を外部に放熱することができる。その結果、テレビスタンド１５１は、テレビ７１Ａを冷却し、例えば、テレビ７１Ａの誤動作を防止することができる。
【００９９】
次に、本発明においては、テレビ７１Ａのモニタ（画面）を保護するフィルタを受け部１１に設けるようにしてもよい。以下、図２１乃至図２３を参照して、画面を保護するフィルタを受け部１１に設けた場合（以下、モニタ画面保護タイプとも称する）について説明する。すなわち、図２１乃至図２３のそれぞれは、テレビ７１Ａを、モニタ画面保護タイプのテレビスタンド１７１に載せた場合の外観を示す図であり、図２１は背面図を示し、図２２は上面図を示し、図２３は側面図を示す。
【０１００】
テレビスタンド１７１は、図２１に示すように、受け部１８１と支持部１８２とから構成され、受け部１８１を構成している２枚の足が、支持部１８２に設けられているガイドに嵌め込まれている。
【０１０１】
なお、以下の説明においては、受け部１８１を構成している２枚の足のそれぞれを、スライド部１８１Ａおよびスライド部１８１Ｂと称し、受け部１８１に載せられるテレビ７１Ａの背面を受ける面を背面部１８１Ｃと称して説明する。また、スライド部１８１Ａおよびスライド部１８１Ｂのそれぞれに対応して、支持部１８２に設けられたガイドを、それぞれガイド１８２Ａおよびガイド１８２Ｂと称して説明する。
【０１０２】
図２１および図２２で示すように、テレビスタンド１７１には、スライド部１８１Ａおよびスライド部１８１Ｂのそれぞれが設けられており、テレビスタンド１７１は、それらの２つのスライド部によって、テレビ７１Ａを支えている。すなわち、モニタ画面保護タイプタイプのテレビスタンド１７１では、テレビ７１Ａは、スライド部１８１Ａ、スライド部１８１Ｂ、および背面部１８１Ｃにより支えられていることになる。
【０１０３】
また、図２２で示すように、受け部１８１には、テレビ７１Ａの前面を覆うようにしてフィルタ１８１Ｄが設けられており、フィルタ１８１Ｄは、例えば、ポリカーボネート、シリコン、またはガラスなどの素材から形成され、テレビスタンド１７１に載せられたテレビ７１Ａの、LCDなどで構成されるモニタ（画面）を保護する。すなわち、受け部１８１は、スライド部１８１Ａ、スライド部１８１Ｂ、背面部１８１Ｃ、およびフィルタ１８１Ｄからなる。
【０１０４】
また、図２３で示すように、スライド部１８１Ａおよびスライド部１８１Ｂのそれぞれが、ガイド１８２Ａおよびガイド１８２Ｂのそれぞれの上をスライドすることで、テレビスタンド１７１に載せられたテレビ７１Ａを所定の角度に傾けることができる。このとき、受け部１８１に設けられているフィルタ１８１Ｄは、スライド部１８１Ａおよびスライド部１８１Ｂと同様に動作するので、常に、フィルタ１８１Ｄがテレビ７１Ａの前面を覆った状態となる。
【０１０５】
このように、モニタ画面保護タイプのテレビスタンド１７１においては、常に、フィルタ１８１Ｄがテレビ７１Ａの前面を覆った状態となるので、テレビスタンド１７１は、衝撃からテレビ７１Ａを保護したり、テレビ７１Ａの画面に表示されている画像の色や質感を鮮明に表示させたりすることができる。
【０１０６】
なお、フィルタ１８１Ｄは、受け部１８１と一体型ではなく、例えば、市販されているモニタ保護用のフィルタを取付けることができるようにしてもよい。その結果、ユーザは、好みに合うフィルタをテレビスタンド１７１に取付けることができるので、より利便性を向上させることができる。
【０１０７】
以上のように、本発明によれば、より少ない部品数で、表示装置を安定的に支えることができる。
【０１０８】
例えば、テレビスタンド１は、受け部１１と支持部１２との２点で構成されるので、従来のテレビスタンドと比較して部品点数を減らすことができる。その結果、製造コストを低く抑えることができるとともに、２つの部品からなるので、ユーザは、テレビスタンド１を容易に組み立てることができる。
【０１０９】
なお、上述した例においては、テレビスタンド１に載せるテレビとして、スケーラブルテレビシステム５１を構成するテレビのうちの１台である、テレビ７１Ａを一例にして説明したが、本発明はそれに限らず、例えば、持ち運びが可能なテレビなどであってもよい。
【０１１０】
また、上述した例においては、テレビスタンド１にテレビ７１Ａを載せるとして説明したが、本発明はそれに限らず、テレビ７１Ａの代わりに、例えば、本や写真などの物品を載せて、本立てや写真立てとして使用するようにしてもよい。
【０１１１】
さらに、上述した例においては、受け部１１にスライド部１１Ａとスライド部１１Ｂとを設け、支持部１２にガイド１２Ａとガイド１２Ｂとを設けて、スライド部１１Ａおよびスライド部１１Ｂのそれぞれを、ガイド１２Ａおよびガイド１２Ｂのそれぞれに嵌め込むことでスライドさせるとして説明したが、本発明においては、スライド部（ガイド）の数は、２つに限らず、３つ以上設けるようにしてもよい。
【０１１２】
また、本発明の実施の形態は、上述した実施の形態に限定されるものではなく、本発明の要旨を逸脱しない範囲において種々の変更が可能である。
【図面の簡単な説明】
【０１１３】
【図１】本発明を適用したテレビスタンドの外観を示す図である。
【図２】本発明を適用したテレビスタンドの外観を示す図である。
【図３】受け部の外観を示す図である。
【図４】支持部の外観を示す図である。
【図５】スケーラブルテレビシステムの構成例を示す図である。
【図６】テレビをテレビスタンドに載せた場合における前方からの斜視図である。
【図７】テレビをテレビスタンドに載せた場合における正面図である。
【図８】テレビをテレビスタンドに載せた場合における後方からの斜視図である。
【図９】テレビをテレビスタンドに載せた場合における背面図である。
【図１０】テレビをテレビスタンドに載せた場合における左側面図である。
【図１１】テレビをテレビスタンドに載せた場合における左側面図である。
【図１２】分割支持タイプにおける背面図である。
【図１３】分割支持タイプにおける上面図である。
【図１４】分割支持タイプにおける側面図である。
【図１５】単支持タイプにおける背面図である。
【図１６】単支持タイプにおける上面図である。
【図１７】単支持タイプにおける側面図である。
【図１８】ヒートシンクタイプにおける背面図である。
【図１９】ヒートシンクタイプにおける上面図である。
【図２０】ヒートシンクタイプにおける側面図である。
【図２１】モニタ画面保護タイプにおける背面図である。
【図２２】モニタ画面保護タイプにおける上面図である。
【図２３】モニタ画面保護タイプにおける側面図である。
【符号の説明】
【０１１４】
１  テレビスタンド，  １１  受け部，  １１Ａ，１１Ｂ  スライド部，  １１Ｃ  背面部，  １１ａ，１１ｂ，１１ｃ，１１ｄ，１１ｅ，１１ｆ，  凸部，  １２  支持部，  １２Ａ，１２Ｂ  ガイド，  ５１  スケーラブルテレビシステム，  ６１−１乃至６１−３  ユニット，  ７１Ａ乃至７３Ｃ  テレビ，１０１  テレビスタンド，  １１１  受け部，  １１１Ａ，１１１Ｂ  スライド部，  １１２  支持部，  １１２Ａ，１１２Ｂ  ガイド，１３１  テレビスタンド，  １４１  受け部，  １４１Ａ  スライド部，  １４１Ｃ  背面部，  １４２  支持部，  １４２Ａ  ガイド，１５１  テレビスタンド，  １６１  受け部，  １６１Ａ，１６１Ｂ  スライド部，  １６１Ｃ  背面部，  １６２  支持部，  １６２Ａ，１６２Ｂ  ガイド，１７１  テレビスタンド，  １８１  受け部，  １８１Ａ，１８１Ｂ  スライド部，  １８１Ｃ  背面部，  １８１Ｄ  フィルタ，  １８２  支持部，  １８２Ａ，１８２Ｂ  ガイド
【図１】
2007057963.tif 000003
【図２】
2007057963.tif 000004
【図３】
2007057963.tif 000005
【図４】
2007057963.tif 000006
【図５】
2007057963.tif 000007
【図６】
2007057963.tif 000008
【図７】
2007057963.tif 000009
【図８】
2007057963.tif 000010
【図９】
2007057963.tif 000011
【図１０】
2007057963.tif 000012
【図１１】
2007057963.tif 000013
【図１２】
2007057963.tif 000014
【図１３】
2007057963.tif 000015
【図１４】
2007057963.tif 000016
【図１５】
2007057963.tif 000017
【図１６】
2007057963.tif 000018
【図１７】
2007057963.tif 000019
【図１８】
2007057963.tif 000020
【図１９】
2007057963.tif 000021
【図２０】
2007057963.tif 000022
【図２１】
2007057963.tif 000023
【図２２】
2007057963.tif 000024
【図２３】
2007057963.tif 000025